(57)【特許請求の範囲】
【請求項１】
上部に開口端を有した略直方体状のパッケージ本体と、
前記開口端の後側開口縁にヒンジを介して回動可能に連結され、前記パッケージ本体の開口端部に被せられて前記パッケージ本体を閉じる略直方体状のリッドと
を備え、
前記リッドは、前記ヒンジを介して前記パッケージ本体に連結されている後壁と、前記後壁に連結された天板と、前記天板に連結された前壁と、後壁、天板および前壁の各側縁に連結された２つの側壁と、前記前壁の中央上部に設けられた窪み部とを含み、
前記窪み部は、前記前壁を正面からみて、前記前壁と前記天板の境界縁に２つの頂点部を有し、各辺が外側へ膨出した曲線からなる略三角形形状をなしており、
前記前壁は、この前壁の外面を形成する前壁パネルと、前記前壁パネルの内面に重ね合わされているインナフロントフラップとを含み、
前記インナフロントフラップは、前記天板側の端縁の中央に設けられた湾曲形状の凸部を含み、
前記凸部は、前記窪み部の辺のうち前記天板の上面から膨出した辺の部分の内側に合致している
ことを特徴とするヒンジリッド型パッケージ。
【請求項２】
前記窪み部には、凹凸加工が施されていることを特徴とする請求項１に記載のヒンジリッド型パッケージ。
【請求項３】
前記パッケージ本体は、前記開口端から一部が突出して設けられ、前記リッドの開閉を案内するインナフレームを含むことを特徴とする請求項１又は２に記載のヒンジリッド型パッケージ。
【発明の詳細な説明】
【技術分野】
【０００１】
本発明は、パッケージに関し、より詳しくは、ヒンジリッド型のパッケージに関する。
【背景技術】
【０００２】
被収容物を収容するパッケージとしては、被収容物の性質を考慮し、種々のものが開発されている。被収容物がお菓子等の食品やたばこ商品のようなものである場合、そのパッケージは衛生的であることや、被収容物が変質しないような構造を要求する。また、これら被収容物が一度に消費されずに残ることがあるが、そのような場合、これら被収容物を収容するパッケージは、残った被収容物のケースとしてもしばらくの間使われることから、このような場合のパッケージは被収容物を外界から遮断できるように、蓋付きとすることが好ましい。
【０００３】
ここで、蓋付きのパッケージとしては、例えば、特許文献１に示される紙巻き煙草などのためのヒンジ蓋付きボックスのようなヒンジリッド型パッケージが各種提案されている。
従来公知のヒンジリッド型パッケージは、ボックス形状のアウタボディを含み、アウタボディはその上端に開口端を有する。アウタボディはその内部にインナパックを収容し、このインナパックは煙草の束と、この煙草の束を包み込む内包材とを有する。
【０００４】
アウタボディの開口端はその後縁にヒンジを介してボックス形状のリッドを有し、リッドはヒンジを中心に回動し、開口端を開閉可能である。
【特許文献１】特開平８−５８７７７号公報
【発明の開示】
【発明が解決しようとする課題】
【０００５】
ところで、従来公知のヒンジリッド型パッケージにおいては、単純な角型のボックスタイプがほとんどであるので、デザインが画一的であり、消費者の購買意欲を促進させるアピール度に乏しい。
本発明は、上記の事情に基づいてなされたもので、その目的とするところは、簡単な構成で、消費者に対するアピール度を向上させることができるパッケージを提供することにある。
【課題を解決するための手段】
【０００６】
上記目的を達成するために、請求項１の本発明のヒンジリッド型パッケージは、上部に開口端を有した略直方体状のパッケージ本体と、前記開口端の後側開口縁にヒンジを介して回動可能に連結され、前記パッケージ本体の開口端部に被せられて前記パッケージ本体を閉じる略直方体状のリッドとを備え、前記リッドは、前記ヒンジを介して前記パッケージ本体に連結されている後壁と、前記後壁に連結された天板と、前記天板に連結された前壁と、後壁、天板および前壁の各側縁に連結された２つの側壁と、前記前壁の中央上部に設けられた窪み部とを含み、前記窪み部は、前記前壁を正面からみて、前記前壁と前記天板の境界縁に２つの頂点部を有し、各辺が外側へ膨出した曲線からなる略三角形形状をなしており、前記前壁は、この前壁の外面を形成する前壁パネルと、前記前壁パネルの内面に重ね合わされているインナフロントフラップとを含み、前記インナフロントフラップは、前記天板側の端縁の中央に設けられた湾曲形状の凸部を含み、前記凸部は、前記窪み部の辺のうち前記天板の上面から膨出した辺の部分の内側に合致していることを特徴とするものである。
【０００８】
請求項２の本発明のヒンジリッド型パッケージは、請求項１に記載のヒンジリッド型パッケージにおいて、前記窪み部には、凹凸加工が施されていることを特徴とする。
【０００９】
請求項３の本発明のヒンジリッド型パッケージは、請求項１又は２に記載のヒンジリッド型パッケージにおいて、前記パッケージ本体は、前記開口端から一部が突出して設けられ、前記リッドの開閉を案内するインナフレームを含むことを特徴とする。
【発明の効果】
【００１０】
請求項１乃至請求項３に記載の本発明によれば、リッドに窪み部を有するので、外観がユニークであり消費者へのアピール度が向上する。
また、本発明によれば、窪み部への親指のおさまりが良いので、消費者は、この窪み部に親指をかけてリッドをはじき上げることによりパッケージを開くことができ、消費者の手に馴染むパッケージを得ることができる。
【００１１】
請求項２に記載の本発明によれば、窪み部に凹凸加工が施されているので、消費者の指が滑ることを抑えることができ、リッドを開き易くなる。
請求項３に記載の本発明によれば、インナフレームにより、パッケージ本体の開口端が補強されるとともに、リッドの開閉が円滑に行える。
【発明を実施するための最良の形態】
【００１２】
以下、本発明に係るヒンジリッド型パッケージの実施の形態を、図面を参照して説明する。
（実施例１）
本発明が適用されるヒンジリッド型パッケージとしては特に限定はされないが、例えば、図１乃至図３に示すようなフィルタシガレットやシガレット等のたばこ商品のヒンジリッド型パッケージに適用した場合を例に説明する。
【００１３】
このパッケージ２は、略直方体形状をなしており、パッケージ本体４と、リッド６とを含む。パッケージ２は、たばこ商品のインナパック８を収容可能な大きさを有し、このインナパック８は例えば、長さが９５ｍｍのスーパーキングサイズの２０本のたばこ商品を内包材により包み込んだものである。より詳しくは、前記内包材は、紙と、この紙の表面に蒸着されたアルミニウムの膜とを含む。前記内包材のアルミニウムの膜はたばこ商品の束を湿気から保護するばかりでなく、たばこ商品の束、すなわち、個々のたばこ商品からの芳香の放出を防止する。内包材には上述したアルミニウム蒸着紙に代えて、積層紙を使用することもでき、この積層紙はその内部に湿気や芳香の通過を防止する遮蔽層を有する。
【００１４】
パッケージ本体４は、アウタボックス１０と、インナフレーム１２とを備える。
アウタボックス１０は、上端部が斜めに切り欠かれた箱体である。より詳しくは、アウタボックス１０は矩形状の前壁１４と、前壁１４よりも高さ寸法が長尺の矩形状をなし、前壁１４と対向配置された後壁１６と、前壁１４と後壁１６の両側縁を相互に連結する一対の側壁１８と、前壁１４、後壁１６および側壁１８の下端に連結された矩形状の底壁２０とを備えている。ここで、側壁１８の上端縁１８ａは前壁１４の上端と後壁１６の上端とを結ぶように傾斜している。そのため、アウタボックス１０は、上部に斜めの開口端１１を有している。また、後壁１６の上端にはヒンジ２２が備えられている。より詳しくは、ヒンジ２２は両側壁１８の上端縁１８ａの後部間に亘って延び、後壁１６とリッド６とを連結している。
【００１５】
インナフレーム１２は、略Ｕ字形状をなし、前面フレーム２４と前面フレーム２４の両側縁に連結された側面フレーム２６とを有する。インナフレーム１２は、アウタボックス１０の上部の開口端１１から部分的に突出した状態で、アウタボックス１０の内面、すなわち、アウタボックス１０の前壁１４および側壁１８の内面に接着されている。インナフレーム１２は、アウタボックス１０の開口端１１を補強するとともに、リッド６の開閉を案内するガイドとしても機能する。ここで、前面フレーム２４は、図２から明らかなように略矩形状の切欠凹所２８を有している。切欠凹所２８は、インナフレーム１２の前面部分を大きく開き、たばこ商品の取り出しを容易にしている。また、前面フレーム２４と側面フレーム２６との間のコーナ部分には、側方に僅かに突出した耳片３０が設けられている。耳片３０は、リッド６が閉じられた際に、リッド６の内面と接触し、リッド６が不用意に開くことを抑える働きをする。
【００１６】
リッド６は、ヒンジ２２に連結されている矩形状の後壁３２と、後壁３２に直交するように連結されている略矩形状の天板３４と、天板３４に直交するように連結されている略矩形状の前壁３６と、後壁３２、天板３４および前壁３６の各側縁を連結する一対の台形状の側壁３８とを備えている。リッド６は、ヒンジ２２を中心に回動可能となっている。なお、リッド６が閉じたとき、リッド６の側壁３８の斜辺、すなわち側壁３８の傾斜下端縁３８ａは、前述したアウタボックス１０における側壁１８の上端縁１８ａと互いに合致する。
【００１７】
本実施例の場合、リッド６は、その前壁３６の中央上部に天板３４に亘って窪み部４０を有している。より詳しくは、図４に示すように、前壁３６を正面からみて、窪み部４０は前壁３６と天板３４との境界縁に２つの頂点部を有する略三角形の形状をなし、各頂点部を繋ぐ各辺は外側に向けて膨らむような曲線に形成されている。また、図５及び図６から明らかなように、窪み部４０は、前記２つの頂点部を結ぶ辺の中央を最深位置にすべく、各辺から最深位置に向けて深さが徐々に増加するように窪んだ湾曲面となっている。このような窪み部４０は前記２つの頂点部を繋ぐ一辺を図１から明らかなように後壁３２側へ窪ませ、これに伴い、天板３４はその前縁中央部に天板３４の上面から僅かに膨出した頂部３５を有している。
【００１８】
なお、窪み部４０の存在を明確にするため、窪み部４０は図１，２，４〜６に誇張して示されている。
更に、この窪み部４０には、その湾曲面全域に亘って凹凸加工が施されている。つまり、窪み部４０の湾曲面は全面が凹凸面４０ａからなっている。具体的には、凹凸面４０ａは多数の突条から形成されており、これら突条は、リッド６の幅方向に窪み部４０の湾曲面に沿って延び、そして、上下方向に隣接する突条間には均一な間隔が確保されている。
【００１９】
この窪み部４０は、上述したように湾曲していることから平面に比べて指のおさまりが良いので、消費者がリッド６を開く際に親指を当てる部分となる。しかもこの窪み部４０は凹凸面４０ａであるので、指の滑り止め効果も発揮する。
パッケージ２は、アウタボックス１０およびリッド６を成形するメインブランク４２と、インナフレーム１２を成形するサブブランク４４とから形作ることができる。
【００２０】
メインブランク４２は、図７に示されるように、アウタボックス１０となるアウタボックス区域４６、リッド６となるリッド区域４８を有している。
アウタボックス区域４６は、アウタボックス１０の前壁１４となる前壁パネル５０を有しており、前壁パネル５０の両側縁には、アウタボックス１０の側壁１８となる側壁パネル５２,５２が連なっている。また、前壁パネル５０の上縁には、アウタボックス１０の底壁２０となる底壁パネル５４が連なっている。底壁パネル５４には、前壁パネル５０とは反対側に位置してアウタボックス１０の後壁１６となる後壁パネル５６が連なっている。この後壁パネル５６の両側縁には、側壁パネル５２に対するインナサイドフラップ５８,５８が連なっている。更に、各インナサイドフラップ５８の下端には、インナボトムフラップ６０が連なっており、これらインナボトムフラップ６０は底壁パネル５４に重ね合わされることで、底壁２０の補強をなす。
【００２１】
リッド区域４８は、リッド６の後壁３２となる後壁パネル６２を有しており、後壁パネル６２の下端縁は、ヒンジ２２となるヒンジライン６４を介してアウタボックス区域４６の後壁パネル５６と連結されている。後壁パネル６２には、アウタボックス区域４６の後壁パネル５６とは反対側に位置してリッド６の天板３４となる天板パネル６６が連なっている。また、後壁パネル６２の両側縁には、リッド６の側壁３８の一部となるインナサイドフラップ６８がそれぞれ連なっている。そして、各インナサイドフラップ６８の上端には、インナトップフラップ７０が連なっており、これらインナトップフラップ７０は天板パネル６６に重ね合わされることで、天板３４の補強をなす。更に、天板パネル６６には、後壁パネル６２とは反対側に位置してリッド６の前壁３６の一部となる前壁パネル７２および前壁３６の残部となるインナフロントフラップ７４が順次連なっている。また、前壁パネル７２の両側縁には、リッド６の側壁３８の残部となる側壁フラップ７６がそれぞれ連なっている。
【００２２】
ここで、リッド区域４８においては、天板パネル６６と前壁パネル７２との間の折り込み線７８（図７中一点鎖線で示す。）の中央部７８ａが、図７でみて下方に凸となるように湾曲している。一方、インナフロントフラップ７４は、その上端縁中央部に図７でみて上方に凸となるように湾曲した凸部８０を有している。この凸部８０は、前記中央部７８ａと合致する形状をなしている。
【００２３】
更に、前壁パネル７２において、リッド６の窪み部４０が形成されるべき領域となる窪み形成部８２にはあらかじめ押圧加工による窪み癖が付けられているとともに、凹凸加工により、その全域に前述の多数の突条からなる凹凸面４０ａが形成してある。また、インナトップフラップ７０は、天板パネル６６に重ね合わされた際に上述した中央部７８ａとの重なり合いを避けるべく、対応する側縁の一部に中央部７８ａの形状と合致する切欠部７０ａを備えている。
【００２４】
サブブランク４４は、図８に示すように、インナフレーム１２の前面フレーム２４となる前面パネル８４を有し、前面パネル８４の両側縁には、インナフレーム１２の側面フレーム２６となる側面フラップ８６がそれぞれ連なっている。また、サブブランク４４においては、前面パネル８４の切込凹所２８の両側に切込み８８がそれぞれ設けられている。これら切込み８８は、図８中一点鎖線で示した前面パネル８４と側面フラップ８６との間の折り込み線と重ね合わせて形成され、前面パネル８４側に向けて開いた縦長のＣ字状をなしている。切込み８８は、サブブランク４４を折り込み線に沿って折り込んだ際に、側面フレーム２６から外側に僅かに突出し、上述した耳片３０となる。
【００２５】
本実施例の場合、ブランク４２，４４は紙材からなり、それらの秤量は１８０〜２７０ｇ／ｍ２、それらの厚みは０．２〜０．５ｍｍである。なお、具体的には、ブランク４２,４４はカード紙、マニラボール紙等の何れであってもよい。
上述したブランク４２，４４は、図７，８中一点鎖線で示した折り込み線からそれぞれ折り込まれて、パッケージ本体４およびリッド６がそれぞれ成形され、この折り込み成形により、図１に示すようなリッド６を閉じた状態のパッケージ２が得られる。
【００２６】
より詳しくは、まず、メインブランク４２において、後壁パネル５６,６２上にインナフレーム１２を備えたインナパック８が載置される。ここで、インナフレーム１２は前述のサブブランク４４をインナパック８の回りに折り込むことで成形され、インナパック８に接着された状態にある。
この後、インナパック８に対して、インナサイドフラップ５８、インナサイドフラップ６８、インナボトムフラップ６０、底壁パネル５４、インナトップフラップ７０の折り込みがなされ、インナサイドフラップ５８はインナフレーム１２またはインナパック８に糊付けされる。
【００２７】
一方、リッド区域４８の折り込み成形にあたっては、先ず、インナフロントフラップ７４の折り込みがなされ、このインナフロントフラップ７４は前壁パネル７２の内面に重ね合わされる。ここで、インナフロントフラップ７４の凸部８０は、前壁パネル７２の折り込み線７８の中央部７８ａと重なり合う。
この後、天板パネル６６の折り込みを経て、前壁パネル７２及びインナフロントフラップ７４が折り込み線７８に沿い後壁パネル６２との間にて前述したインナパック８を挟み付けるように折り込まれると、折り込み線７８の中央部７８ａ及びインナフロントフラップ７４の凸部８０がそれぞれ湾曲形状をなし、しかも、前壁パネル７２の窪み癖が付けられていることで、これら中央部７８ａ及び凸部８０は後壁パネル６２側へ窪み、これに伴い、前壁パネル７２に前述した窪み部４０が形成される。
【００２８】
ここで、窪み部４０の形成がインナフレーム１２の切欠凹所２８の存在により許容されることに留意すべきである。
この後、側壁パネル５２及び側壁フラップ７６の折り込みがなされ、これらパネル５２及びフラップ７６がインナサイドフラップ５８，６８にそれぞれ糊付けされることで、リッド６を備え且つインナパック８を収容した図１に示すパッケージ２が成形される。
【００２９】
以上のようにしてヒンジリッド型パッケージ２にたばこ商品が包装されると、この後、個々のパッケージは、例えば、透明フィルムで外包される。
このパッケージ２を購入した消費者は、まず、外包フィルムを開封し、リッド６の前壁３６の窪み部４０に親指をかけてリッド６を開く。そして露出したインナパック８を開封して中からたばこ商品を取り出す。たばこ商品を取り出した後は、リッド６を閉じることにより、残りのたばこ商品の鮮度の低下を抑えることができる。
【００３０】
本実施例に係るヒンジリッド型パッケージ２は、リッド６に窪み部４０を有することから消費者が指をかけやすく、また、窪み部４０には凹凸加工が施されているので、消費者がリッド６を開く際に指の滑りを抑える効果が発揮され、容易にリッド６を開くことができる。
（参考例１）
次に、参考例１のヒンジリッド型パッケージ３について説明する。なお、参考例１を説明するにあたり、既に説明した実施例１と同一の機能を発揮する部材および部位には同一の参照符号を付して、これらの説明は省略し、相違する点のみを説明する。
【００３１】
図９は、参考例１に係るヒンジリッド型パッケージ３を示している。
参考例１の場合、リッド６は、その天板３４の中央部に後壁３２に亘って窪み部４１を有している。窪み部４１は、実施例１における窪み部４０と略同じ形状をなしており、その湾曲面は同じく全面が凹凸面４１ａからなっている。つまり、参考例１におけるヒンジリッド型パッケージ３は、実施例１における窪み部４０が、前壁３６から天板３４へシフトした形態をなしている。
【００３２】
ついで、パッケージ３のアウタボックス１０およびリッド６を成形するメインブランク４３を図１０に示す。
ここで、リッド区域４８においては、天板パネル６６と後壁パネル６２との間の折り込み線７９（図１０中一点鎖線で示す。）の中央部７９ａが、図１０でみて下方に凸となるように湾曲している。そして、天板パネル６６において、リッド６の窪み部４１が形成されるべき領域となる窪み形成部８３にはあらかじめ押圧加工による窪み癖が付けられているとともに、凹凸加工により、その全域に前述の多数の突条からなる凹凸面４１ａが形成してある。また、インナトップフラップ７０は、天板パネル６６に重ね合わされた際に上述した窪み部４１との重なり合いを避けるべく、対応する側縁の一部に窪み形成部８３の外縁形状と合致する切欠部７０ｂを備えている。
【００３３】
参考例１に係るヒンジリッド型パッケージ３においては、消費者がリッド６の天板に設けられた窪み部４１に指をかけ、リッド６をパッケージ３の後方斜め下側へ引くことによりリッド６を容易に開くことができる。
【００３４】
更に、本実施例１及び参考例１では、窪み部４０，４１の表面の全体に凹凸加工を施したが、この凹凸加工は、窪み部４０，４１の一部でも構わない。つまり、消費者の指の滑りを抑えることができればよい。また、本実施例１及び参考例１においては、突条からなる凹凸を設けたが、凹凸の形状はこれに限定されるものではなく、例えば、ドット状の凹凸としても構わない。更に、窪み部４０，４１には、収容する商品のロゴなどの商標をエンボス加工により表して、その凹凸部分により滑り止め効果を発揮する態様としても構わない。この態様の場合、消費者へのアピール度が更に向上する。
【００３５】
また、本実施例では、長さが９５ｍｍのスーパーキングサイズのたばこ商品を２０本収容するインナパック８を包装する大きさのパッケージについて説明したが、長さが８５ｍｍ程度のキングサイズのたばこに対応する大きさとしても構わない。
また、本発明のパッケージは、たばこ商品用のパッケージに限定されるものではなく、たばこ商品の他、菓子などの食品のパッケージなど各種商品にも採用することができる。
【図面の簡単な説明】
【００３６】
【図１】実施例１に係るヒンジリッド型パッケージのリッドを閉じた状態を示す斜視図である。
【図２】実施例１に係るヒンジリッド型パッケージのリッドを開いた状態を示す斜視図である。
【図３】実施例１に係るヒンジリッド型パッケージのリッドを閉じた状態を後壁側下方よりみた状態を示す斜視図である。
【図４】リッドを示す図１中のＡ矢視図である。
【図５】リッドを示す図１中のＢ矢視図である。
【図６】リッドを示す図４中のＶＩ−ＶＩ線断面図である。
【図７】実施例１に係るメインブランクの展開図である。
【図８】サブブランクの展開図である。
【図９】参考例１に係るヒンジリッド型パッケージのリッドを閉じた状態を示す斜視図である。
【図１０】参考例１に係るメインブランクの展開図である。
【符号の説明】
【００３７】
２            パッケージ
３            パッケージ
４            パッケージ本体
６            リッド
８            インナパック
１０          アウタボックス
１１          開口端
１２          インナフレーム
２２          ヒンジ
３２          後壁
３４          天板
３６          前壁
３８          側壁
４０          窪み部
４１          窪み部
４０ａ        凹凸面
４２          メインブランク
４３          メインブランク
４４          サブブランク
【図１】
0005077563.tif 000002
【図２】
0005077563.tif 000003
【図３】
0005077563.tif 000004
【図４】
0005077563.tif 000005
【図５】
0005077563.tif 000006
【図６】
0005077563.tif 000007
【図７】
0005077563.tif 000008
【図８】
0005077563.tif 000009
【図９】
0005077563.tif 000010
【図１０】
0005077563.tif 000011